(57)【特許請求の範囲】
【請求項１】
エレベータのかごにおける袖壁と、
前記かごにおける袖壁支持部と、
前記袖壁及び前記袖壁支持部の間に設けられ、該袖壁を該袖壁支持部に対して開閉可能に支持するヒンジとを備え、
前記袖壁は、その開放状態においてスライド動作を介して前記ヒンジに対して着脱可能に取付けられており、
前記袖壁の前記スライド動作を規制するストッパを更に備え、
前記ヒンジは、幅方向の一方向に開口した切り欠き部と、ストッパ当て部とを有しており、
前記袖壁の内側には、頭部が膨らんでいるヒンジ押さえ部が突設されており、
前記袖壁は、前記ヒンジ押さえ部が前記切り欠き部に挿入されることで、前記ヒンジに対して前記幅方向の他方向への動きと、厚さ方向への動きとを規制されており、
前記ストッパは、前記ヒンジ押さえ部が前記切り欠き部に挿入されている状態で、ねじ部材を介して前記袖壁に着脱可能に取付けられており、
前記袖壁に取付けられている前記ストッパの前記幅方向の一方向側の部位は、前記ヒンジ押さえ部が前記切り欠き部に挿入されている状態で、前記ストッパ当て部に当接しており、
前記袖壁は、前記ストッパが前記ストッパ当て部に当接されることで、前記ヒンジに対して前記幅方向の一方向への動きを規制されている、
エレベータの袖壁支持構造体。
【請求項２】
前記ヒンジには、ばねが取付けられており、
前記ばねは、前記袖壁が開いている位置で無負荷状態にあるように設けられている、
請求項１のエレベータの袖壁支持構造体。
【請求項３】
前記ねじ部材は、平面視、前記ヒンジの回動中心上か、該回動中心よりも前記袖壁の開閉端部側に配置されている、
請求項１又は２のエレベータの袖壁支持構造体。
【発明の詳細な説明】
【技術分野】
【０００１】
本発明は、エレベータの袖壁支持構造体に関するものである。
【背景技術】
【０００２】
エレベータのかご室内には、各停止階の乗場に対向する前面に、開閉する戸を有しており、さらに、戸の左右両側には、袖壁が設けられている。そして、一方または両方の袖壁に、操作ボタンや階数表示といった操作盤が設けられている。通常、袖壁は、操作盤の裏側にアクセスできるよう、扉のように開閉可能に設けられており、例を示すと、特許文献１に開示された構成がある。特許文献１に開示された構成では、袖壁は、ヒンジによって回動可能に支持されており、ヒンジは、操作盤ケースといった外枠の外側であって、且つ、かご室側壁の外側に配置されていた。
【先行技術文献】
【特許文献】
【０００３】
【特許文献１】実開昭６３−１７３１６７号公報
【発明の概要】
【発明が解決しようとする課題】
【０００４】
しかしながら、これまでの袖壁支持構造では、袖壁の交換が必要な場合、作業者は、かご外側の昇降路から手をのばし、袖壁と外枠との締結を外す必要があり、作業が困難になる傾向があった。また、昇降路が狭いときには、外枠をいったん取り外して、作業を行わなければならない場合もあった。
【０００５】
本発明は、上述した従来の問題に鑑みてなされたものであり、袖壁を取り外し容易に支持することができる、エレベータの袖壁支持構造体を提供することを目的とする。
【課題を解決するための手段】
【０００６】
上述した目的を達成するため、本発明のエレベータの袖壁支持構造体は、エレベータのかごにおける袖壁と、前記かごにおける袖壁支持部と、前記袖壁及び前記袖壁支持部の間に設けられ、該袖壁を該袖壁支持部に対して開閉可能に支持するヒンジとを備え、前記袖壁は、その開放状態においてスライド動作を介して前記ヒンジに対して着脱可能に取付けられており、前記袖壁の前記スライド動作を規制するストッパを更に備える。
【発明の効果】
【０００７】
本発明のエレベータの袖壁支持構造体によれば、袖壁を取り外し容易に支持することができる。
【図面の簡単な説明】
【０００８】
【図１】本発明の実施の形態に係るエレベータの袖壁支持構造体が適用されるかご室に関し、室内から前方を見たときのかご室前面を示す図である。
【図２】（ａ）は、図１のII−II線に沿う断面図であり、（ｂ）は、（ａ）のＤ部の拡大図である。
【図３】（ａ）は、図１のIII−III線に沿う断面図であり、（ｂ）は、（ａ）のＥ部の拡大図である。
【図４】図２及び図３の矢印IVからみたヒンジ近傍領域を示す図である。
【図５】ヒンジ及びストッパに関する斜視図である。
【図６】袖壁が開けられたときの図２と同態様の図である。
【図７】袖壁が開けられたときの図３と同態様の図である。
【図８】図４と同態様の図であって、ナットやストッパを外し、袖壁をスライドさせて、ヒンジ押さえ部を切り欠き部から退出させた状態を示す図である。
【発明を実施するための形態】
【０００９】
以下、この発明に係るエレベータの袖壁支持構造体の実施の形態について添付図面に基づいて説明する。なお、図中、同一符号は同一又は対応部分を示すものとする。また、本願の明細書及び特許請求の範囲における方向に関する記載は、次のように設定されている。かご室の高さ方向、横幅方向、奥行き方向をそれぞれ、上下方向Ｕ、左右方向Ｌ、前後方向Ｆとする。また、袖壁については、閉じている状態での上述した上下方向、左右方向、前後方向に沿う向きをそれぞれ、袖壁に関する長さ方向Ｈ、幅方向Ｗ、厚さ方向Ｔとする。なお、袖壁は、後述するように開閉に伴ってほぼ上下に延びる軸心周りに回動するので、開いた状態では、幅方向Ｗ及び厚さ方向Ｔは、上述の左右方向Ｌ及び前後方向Ｆとは一致しなくなる。
【００１０】
図１は、本実施の形態に係るエレベータの袖壁支持構造体が適用されるかご室に関し、室内から前方を見たときのかご室前面を示す図である。エレベータのかご室内の前面は、まず、その中央大部分に、開閉戸５１が設けられている。開閉戸５１は、かごが各階の乗場に停止しているときにかご室への出入り口を開放すると共に、かご昇降時に当該出入り口を閉塞する。
【００１１】
開閉戸５１の左右両側には、袖壁一体式かご操作盤を構成するものとして、袖壁３が設けられている。袖壁３は、通常、化粧仕上げされた木製または金属製の板部材から構成されている。少なくとも一方（本実施の形態では両方）の袖壁３には、操作盤５５が設けられている。操作盤５５の構成要素として、本実施の形態では、位置表示部５７、インターフォン５９、階数指示ボタン６１、戸開閉ボタン６３、各種スイッチ群のカバー６５等が含まれている。
【００１２】
袖壁３はそれぞれ、操作盤５５の裏側を保守点検できるよう、扉のように開閉可能に設けられている。袖壁３の開閉支持は、本発明に係る袖壁支持構造体によって提供される。袖壁支持構造体は、本実施の形態では、図中、符号Ａで示す領域に設けられており、すなわち、一枚の袖壁３につき三つ設けられている。また、袖壁支持構造体は、相互に上下方向に離れて配置されている。袖壁３はそれぞれ、かご室中央寄りすなわち開閉戸５１側の開閉端部３ａが手前に弧を描くように移動する態様で開く。
【００１３】
開閉戸５１の上方には、上板６７が設けられている。上板６７は、開閉戸５１よりも更に左右に延びていて、左右の袖壁３の上方にも位置している。
【００１４】
次に、本実施の形態に係るエレベータの袖壁支持構造体について説明する。図２の（ａ）は、図１のII−II線に沿う断面図であり、（ｂ）は、（ａ）のＤ部の拡大図である。図３の（ａ）は、図１のIII−III線に沿う断面図であり、（ｂ）は、（ａ）のＥ部の拡大図である。さらに、図４は、これら図２及び図３の矢印IVからみたヒンジ近傍領域を示す図である。
【００１５】
袖壁支持構造体１は、袖壁３と、袖壁支持部５と、ヒンジ７と、ストッパ９とを備えている。袖壁支持部５は、特に限定されるものではないが、本実施の形態では、操作盤ケースである外枠１１の一部である。また、本実施の形態は、外枠１１と袖壁３と間に気密材を必要としない機種に適用されている。外枠１１は、主要壁１１ａと、中央側壁１１ｂと、外側壁１１ｃと有している。主要壁１１ａは、袖壁３と間隔をもって位置する平坦な板状部分であり、中央側壁１１ｂは、主要壁１１ａの室中央側の端部から袖壁３に向けて延びる板状部分であり、外側壁１１ｃは、主要壁１１ａの室外側の端部から袖壁３に向けて延びる板状部分である。
【００１６】
袖壁支持構造体１は、隅部カバー１３によって、覆われている。隅部カバー１３の一端は、外枠１１に接続しており、隅部カバー１３の他端は、かご室の側面壁１５に接続されている。
【００１７】
図５は、ヒンジ及びストッパに関する斜視図である。ヒンジ７は、袖壁３と袖壁支持部５との間に設けられ、袖壁３を袖壁支持部５に対して開閉可能に支持するものである。ヒンジ７は、第１片１５と、第２片１７と、切り欠き部１９と、ストッパ当て部２１とを有している。第１片１５と第２片１７とは、所定の回動中心Ｃ回りに相互に回動自在に接続されている。
【００１８】
第１片１５は、ボルト・ナット等のヒンジ締結手段２３（図２及び図３参照）によって、袖壁支持部５に固定されている。一方、第２片１７は、次のような態様で袖壁３に着脱可能に取付けられている。図４及び図５に示されるように、まず、第２片１７のかご室外側の縁部には、複数（本実施の形態では二つ）の切り欠き部１９が設けられている。複数の切り欠き部１９は、長さ方向Ｈに所定間隔をもって配置されている。なお、第２片１７は、袖壁３を支持しすなわち袖壁３の姿勢を決定するものであるので、第２片１７の説明には、袖壁３に関する長さ方向Ｈ、幅方向Ｗ、厚さ方向Ｔを用いて説明を行うものとする。切り欠き部１９はそれぞれ、幅方向Ｗの一方向（本実施の形態ではかご室外側方向）に開口している。また、袖壁３における内側（外枠１１側）の面には、図３及び図４に示されるように、複数（切り欠き部と同数）のヒンジ押さえ部２５が突出するように設けられている。ヒンジ押さえ部２５は、その頭部２５ａが胴部２５ｂよりも膨らんだ形態を有する。具体例として、本実施の形態では、ヒンジ押さえ部２５はそれぞれ、円柱状である頭部２５ａの直径が、円柱状である胴部２５ｂの直径よりも大きいピン状の部材である。なお、ヒンジ押さえ部２５の根元には、縦補強部材２７を設けておくと好適である。ヒンジ押さえ部２５の胴部２５ｂの直径は、第２片１７に形成されている切り欠き部１９の幅よりも小さくなっており、逆に、頭部２５ａは、切り欠き部１９の幅よりも大きくなっている。また、胴部２５ｂの突出長さは、第２片１７の厚みより長いかほぼ同じに設定されている。各ヒンジ押さえ部２５の胴部２５ｂを、対応する切り欠き部１９に挿入し、頭部２５ａを第２片１７の外側に位置させることで、第２片１７が袖壁３に取付けられる。また、ヒンジ押さえ部２５の胴部２５ｂを、切り欠き部１９の開口に向けて相対的に移動させ、胴部２５ｂを切り欠き部１９から退出させることで、第２片１７が袖壁３から分離される。このような態様で、第２片１７は、袖壁３に着脱可能に取付けられている。
【００１９】
ストッパ当て部２１は、第２片１７におけるかご室外側の上縁部に設けられている。ストッパ当て部２１は、幅方向Ｗに延びる第２片１７に対して、厚さ方向Ｔに延びている板状の部分である。また、ストッパ当て部２１の上部は、第２片１７よりも上方に延びている。
【００２０】
また、ヒンジ７には、ねじりコイルばね２９が取付けられている。ねじりコイルばね２９は、第１片１５及び第２片１７の上方にあって、それらにまたがって配置されている。ねじりコイルばね２９の一方の端部２９ａは、第１片１５の上面に突出した凸部１５ａに引っ掛けられ、他方の端部２９ｂは、第２片１７の上面に突出した凸部１７ａに引っ掛けられる。
【００２１】
ストッパ９は、袖壁３のスライド動作を規制するものであり、平面視ほぼＬ字状の板状部材で構成されており、第１部分９ａと、第２部分９ｂとを有している。第１部分９ａは、幅方向Ｗに延びており、第２部分９ｂは、第１部分９ａにおけるかご室外側の端部から厚さ方向Ｔを袖壁３から離れる向きに延びている。ストッパ９は、第１部分９ａにおいて、袖壁３に着脱可能に取付けられている。一例として、本実施の形態では、第１部分９ａに貫通穴９ｃが形成されており、その貫通穴９ｃには、袖壁３と一体的に設けられたボルト軸部３１（ねじ部材）が挿通される。ストッパ９を貫通するボルト軸部３１には、ナット３３が取付けられる。これによって、ストッパ９が袖壁３に着脱可能に取付けられている。また、ボルト軸部３１及びナット３３は、平面視、ヒンジ７の回動中心Ｃ上か、該回動中心Ｃよりも袖壁３の開閉端部３ａ側に配置されている。また、外枠１１の外側壁１１ｃにおける袖壁３側は、符号１１ｄに示されるように切り欠かれており、作業者がナット３３等にアクセスしやすいようになっている。
【００２２】
袖壁３、ヒンジ７及びストッパ９の関係は、次のとおりである。袖壁３と一体的であるヒンジ押さえ部２５がヒンジ７の切り欠き部１９に挿入され、且つ、ストッパ９の第２部分９ｂがヒンジ７のストッパ当て部２１に突き当てられた状態で、袖壁３と一体的であるボルト軸部３１がちょうどストッパ９の貫通穴９ｃに挿通できるような関係で、袖壁３のヒンジ押さえ部２５及びボルト軸部３１、ヒンジ７の切り欠き部１９及びストッパ当て部２１、並びに、ストッパ９の第１部分９ａ、第２部分９ｂ及び貫通穴９ｃが用意される。
【００２３】
次に、このような構成を有する袖壁支持構造体の作用について説明する。通常のエレベータ運転時には、本実施の形態に係る袖壁支持構造体１は、図２及び図３に示された状態にある。すなわち、上述したように、ヒンジ押さえ部２５がヒンジ７の切り欠き部１９に挿入され、ストッパ９の第２部分（幅方向の一方向側の部位）９ｂがヒンジ７のストッパ当て部２１に突き当てられ、且つ、ストッパ９を貫通したボルト軸部３１にナット３３が螺合されている。この状態から、袖壁３を取り外して交換する場合、まず、作業者は、図６及び図７に示されるように、袖壁３をかご室内側に引き出すようにして開ける。図６及び図７はそれぞれ、袖壁が開けられたときの図２及び図３と同態様の図である。袖壁３は、ヒンジ７において回動自在に支持されており、図２及び図３の状態から紙面反時計回りに回転されて、図６及び図７に示した状態になる。
【００２４】
図６及び図７に示されたように、袖壁３が開かれた状態では、ヒンジ７の第１片１５及び第２片１７の角度は、袖壁３が閉じられていた状態よりも狭くなっている。これに従い、ねじりコイルばね２９の端部２９ａ，２９ｂ同士の角度も狭くなっている。ねじりコイルばね２９は、袖壁３が開いている位置で、無負荷状態にあるように設けられている。よって、袖壁３は、作業者が特に強くおさえておくことなく、開いたままの状態に維持されやすくなっている。
【００２５】
続いて、袖壁３が開いている状態で、ナット３３を緩めてボルト軸部３１から外し、さらに、ストッパ９をボルト軸部３１から外す。ストッパ９が取付けられていたときには、ストッパ９の第２部分９ｂがヒンジ７のストッパ当て部２１に当たっているために、袖壁３をかご室外側方向にスライドさせることが規制されていた。しかし、上記のようにストッパ９を外すことで、このような規制がなくなる。よって、作業者は、ストッパ９を外した後、図６及び図７中の矢印Ｘで示すように、袖壁３を切り欠き部１９における開口側に向けてスライドさせる。これによって、袖壁３と一体的に設けられているヒンジ押さえ部２５も同方向にスライドし、ヒンジ押さえ部２５が切り欠き部１９から退出する。この状態が、図７及び図８に示されている。図８は、図４と同態様の図であって、ナットやストッパを外し、袖壁をスライドさせて、ヒンジ押さえ部を切り欠き部から退出させた状態を示す図である。このようにヒンジ押さえ部２５を切り欠き部１９から退出させることにより、ヒンジ押さえ部２５の頭部２５ａのヒンジ７に対する引っ掛かりが解消されるので、作業者は、袖壁３をヒンジ７から分離して、外す。
【００２６】
また、袖壁３をヒンジ７に取付ける場合には、上記とほぼ逆の動作となり、まず、袖壁３を矢印Ｘと逆方向にスライドさせて、ヒンジ押さえ部２５をヒンジ７の切り欠き部１９に挿入する。なお、ここでも、特別な操作をしていない限り、ヒンジ７の第２片１７は、無負荷状態に復元しようとするねじりコイルばね２９の作用によって、図６や図７に示す状態に維持される。よって、袖壁３をヒンジ７に取り付ける場合にも、ヒンジ７の第２片１７及び第１片１５はねじりコイルばね２９の作用によって閉じた（なす角度が狭くなった）状態にあり、袖壁３を隅部カバー１３のほうへ差し込む際にも、袖壁３がヒンジ７の第２片１７と干渉しにくくなっている。袖壁３は、その開いた状態において、矢印Ｘと逆方向にスライドされて、ヒンジ７に対して着脱可能に取付けられる。ヒンジ押さえ部２５の切り欠き部１９への挿入が完了したならば、袖壁３と一体のボルト軸部３１に貫通されているストッパ９を適切にヒンジ７のストッパ当て部２１に突き当てた状態とし、そのうえで、ナット３３をストッパ９の上からボルト軸部３１にねじ込み、ストッパ９を袖壁３に対して固定する。これにより、袖壁３は、ストッパ９がストッパ当て部２１に当接されていることで、ヒンジ７に対して幅方向Ｗの一方向（切り欠き開口方向）への動きを規制されており、ヒンジ押さえ部２５が切り欠き部１９に挿入されていることで、ヒンジ７に対して幅方向Ｗの他方向（切り欠き開口と逆方向）への動きと、長さ方向Ｈ及び厚さ方向Ｔへの動きとを規制されている。すなわち、袖壁３は、三方向（六つの向き）の動きが適切に規制されて支持されている。なお、ヒンジ押さえ部２５と切り欠き部１９との係合部が間隔をもって二箇所設けられるので、上記三方向を軸心周りとする三つの回転態様も規制されている。
【００２７】
ナット３３をストッパ９の上からボルト軸部３１にねじ込み、袖壁３のヒンジ７に対する固定が完了したならば、袖壁３を、図６及び図７の状態から紙面時計回りに回転させ、図２及び図３に示されるように閉じ、袖壁３の取付け作業を終了する。
【００２８】
以上のような袖壁支持構造体によれば、袖壁を取り外し容易に支持することができ、しかも、かご室内から着脱が行えるので、作業スペースの制約を受けることなく容易・確実に着脱が行える。また、かご室内から袖壁の着脱が行えるので、保守性が向上している。さらに、外枠などを外すことなく袖壁単体の交換が可能となるので、保守費用の軽減を図ることもできる。
加えて、ヒンジに設けられているねじりコイルばねを、袖壁が開いている位置で無負荷状態にあるように設定しておくことで、袖壁を開放状態に維持しやすく袖壁の取り外し作業を更にしやすくすることができる。
さらに、ボルト軸部やナットは、平面視、ヒンジの回動中心上か、それよりも袖壁の開閉端部側に配置されているので、袖壁の着脱を行う際、作業者がナットにアクセスしやすくすることができる。特に、外側壁１１ｃにおける袖壁３側を符号１１ｄに示すように切り欠いておくと、より一層、ナットへのアクセスを容易にすることができる。
【００２９】
以上、好ましい実施の形態を参照して本発明の内容を具体的に説明したが、本発明の基本的技術思想及び教示に基づいて、当業者であれば、種々の改変態様を採り得ることは自明である。
例えば、本発明のヒンジについては、一片が他片に対して回動自在に接続されている機構であれば、一般にヒンジと称されているものであるか否かは問わず、用いることが可能である。
【符号の説明】
【００３０】
１  袖壁支持構造体、３  袖壁、５  袖壁支持部、７  ヒンジ、９  ストッパ、１９  切り欠き部、２１  ストッパ当て部、２５  ヒンジ押さえ部、２９  ねじりコイルばね、３１  ボルト軸部（ねじ部材）。
【図１】
0005495857.tif 000002
【図２】
0005495857.tif 000003
【図３】
0005495857.tif 000004
【図４】
0005495857.tif 000005
【図５】
0005495857.tif 000006
【図６】
0005495857.tif 000007
【図７】
0005495857.tif 000008
【図８】
0005495857.tif 000009